【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
複数のリールと、
複数のストップスイッチと、
所定の表示手段と、
遊技の進行を制御する主制御手段と、
演出を制御する副制御手段と
を備え、
前記主制御手段は、
抽選を行う抽選手段と、
演出グループ情報を導出するための演出グループ情報生成テーブルを記憶した記憶手段と
を備え、
前記抽選手段により決定され得る抽選結果として、第１抽選結果と第２抽選結果と第３抽選結果とを有し、
第１抽選結果が決定された遊技では、ストップスイッチが第１の操作態様で操作された場合に遊技価値として「Ｘ」を付与可能な図柄組合せを停止表示可能であり、
第２抽選結果が決定された遊技では、ストップスイッチが第２の操作態様で操作された場合に遊技価値として「Ｘ」を付与可能な図柄組合せを停止表示可能であり、
第３抽選結果が決定された遊技では、ストップスイッチの操作態様に関わらず、遊技価値として「Ｘ」を付与可能な図柄組合せを停止表示可能であり、
遊技区間として、通常区間と有利区間とを有し、
通常区間において第１抽選結果が決定された遊技では、前記演出グループ情報生成テーブルから所定の演出グループ情報を導出可能とし、前記所定の演出グループ情報を前記副制御手段へ送信可能に構成されており、
通常区間において第２抽選結果が決定された遊技では、前記演出グループ情報生成テーブルから前記所定の演出グループ情報を導出可能とし、前記所定の演出グループ情報を前記副制御手段へ送信可能に構成されており、
通常区間において第３抽選結果が決定された遊技では、前記演出グループ情報生成テーブルから特定の演出グループ情報を導出可能とし、前記特定の演出グループ情報を前記副制御手段へ送信可能に構成されており、
通常区間において第１抽選結果が決定された遊技では、前記所定の表示手段によってストップスイッチの有利な操作態様を報知せず、
有利区間において第１抽選結果が決定された遊技では、前記所定の表示手段によってストップスイッチの有利な操作態様を報知する場合を有し、
特別遊技状態の開始条件を満たした場合は、特別遊技状態を開始するように構成され、
有利区間における遊技の実行回数が所定回数となる遊技が実行されると、有利区間が終了するように構成され、
有利区間における遊技の実行回数が所定回数となる遊技が特別遊技状態で実行され、その遊技で特別遊技状態の終了条件を満たさなかった場合は、次の遊技は、通常区間であり、特別遊技状態であるように構成される
ことを特徴とする回胴式遊技機。
【手続補正２】
【補正対象書類名】明細書
【補正対象項目名】０００６
【補正方法】変更
【補正の内容】
【０００６】
本態様に係る回胴式遊技機は、
複数のリールと、
複数のストップスイッチと、
所定の表示手段と、
遊技の進行を制御する主制御手段と、
演出を制御する副制御手段と
を備え、
前記主制御手段は、
抽選を行う抽選手段と、
演出グループ情報を導出するための演出グループ情報生成テーブルを記憶した記憶手段と
を備え、
前記抽選手段により決定され得る抽選結果として、第１抽選結果と第２抽選結果と第３抽選結果とを有し、
第１抽選結果が決定された遊技では、ストップスイッチが第１の操作態様で操作された場合に遊技価値として「Ｘ」を付与可能な図柄組合せを停止表示可能であり、
第２抽選結果が決定された遊技では、ストップスイッチが第２の操作態様で操作された場合に遊技価値として「Ｘ」を付与可能な図柄組合せを停止表示可能であり、
第３抽選結果が決定された遊技では、ストップスイッチの操作態様に関わらず、遊技価値として「Ｘ」を付与可能な図柄組合せを停止表示可能であり、
遊技区間として、通常区間と有利区間とを有し、
通常区間において第１抽選結果が決定された遊技では、前記演出グループ情報生成テーブルから所定の演出グループ情報を導出可能とし、前記所定の演出グループ情報を前記副制御手段へ送信可能に構成されており、
通常区間において第２抽選結果が決定された遊技では、前記演出グループ情報生成テーブルから前記所定の演出グループ情報を導出可能とし、前記所定の演出グループ情報を前記副制御手段へ送信可能に構成されており、
通常区間において第３抽選結果が決定された遊技では、前記演出グループ情報生成テーブルから特定の演出グループ情報を導出可能とし、前記特定の演出グループ情報を前記副制御手段へ送信可能に構成されており、
通常区間において第１抽選結果が決定された遊技では、前記所定の表示手段によってストップスイッチの有利な操作態様を報知せず、
有利区間において第１抽選結果が決定された遊技では、前記所定の表示手段によってストップスイッチの有利な操作態様を報知する場合を有し、
特別遊技状態の開始条件を満たした場合は、特別遊技状態を開始するように構成され、
有利区間における遊技の実行回数が所定回数となる遊技が実行されると、有利区間が終了するように構成され、
有利区間における遊技の実行回数が所定回数となる遊技が特別遊技状態で実行され、その遊技で特別遊技状態の終了条件を満たさなかった場合は、次の遊技は、通常区間であり、特別遊技状態であるように構成される
ことを特徴とする回胴式遊技機である。
＜付記＞
尚、本態様とは異なる別態様について以下に列記しておくが、これらには何ら限定されることなく実施することが可能である。
本別態様に係る回胴式遊技機は、
複数のリール（例えば、リールＭ５０）と、
複数のストップスイッチ（例えば、停止ボタンＤ４０）と、
遊技の進行を制御する主制御手段（例えば、主制御基板Ｍ）と、
演出を制御する副制御手段（例えば、副制御基板Ｓ）と、
前記主制御手段により制御される主情報報知部（例えば、押し順表示装置Ｄ２７０）と、
前記副制御手段により制御される副情報報知部（例えば、演出表示装置Ｓ４０）と、
を備え、
前記主制御手段（例えば、主制御基板Ｍ）は、
役抽選を行う役抽選手段と、
前記役抽選手段により決定された抽選結果に対応する演出グループ情報を導出するための特定テーブルを備え、
前記役抽選手段により決定され得る抽選結果として、第１抽選結果と第２抽選結果と第３抽選結果を有し、
前記第１抽選結果が決定された遊技において、特定のアドレスを基準アドレスとし、前記第１抽選結果に対応する情報をオフセット値として、前記特定テーブルから特定の演出グループ情報を導出可能とし、
前記第２抽選結果が決定された遊技において、前記特定のアドレスを基準アドレスとし、前記第２抽選結果に対応する情報をオフセット値として、前記特定テーブルから前記特定の演出グループ情報を導出可能とし、
前記第３抽選結果が決定された遊技において、前記特定のアドレスを基準アドレスとし、前記第３抽選結果に対応する情報をオフセット値として、前記特定テーブルから前記特定の演出グループ情報とは異なる所定の演出グループ情報を導出可能とし、
前記主制御手段（例えば、主制御基板Ｍ）は、導出した演出グループ情報を前記副制御手段（例えば、副制御基板Ｓ）に送信可能に構成され、
前記第１抽選結果、前記第２抽選結果、及び前記第３抽選結果が決定される確率は、第１遊技状態よりも第２遊技状態の方が高く、
前記第２遊技状態において、前記第１抽選結果、又は、前記第２抽選結果が決定された遊技では、ストップスイッチ（例えば、停止ボタンＤ４０）の操作態様に基づいて前記第１遊技状態への移行契機となる図柄組合せが停止表示可能であり、
報知遊技状態であって前記第２遊技状態である状況下において、
前記第１抽選結果、又は、前記第２抽選結果が決定された遊技では、前記第１遊技状態への移行契機となる図柄組合せが停止表示されないストップスイッチ（例えば、停止ボタンＤ４０）の操作態様を前記主情報報知部で報知可能とし、
前記第３抽選結果が決定された遊技では、特定の図柄組合せを停止表示可能なストップスイッチ（例えば、停止ボタンＤ４０）の操作態様を前記副情報報知部で報知する場合を有し、
前記報知遊技状態が終了した後の通常遊技状態であって前記第２遊技状態から前記第１遊技状態に移行する前の状況下において、
前記第１抽選結果、又は、前記第２抽選結果が決定された遊技では、前記第１遊技状態に移行する図柄組合せが停止表示されないストップスイッチ（例えば、停止ボタンＤ４０）の操作態様を前記主情報報知部（例えば、押し順表示装置Ｄ２７０）で報知せず、
前記第３抽選結果が決定された場合には、前記特定の図柄組合せが停止表示されないストップスイッチ（例えば、停止ボタンＤ４０）の操作態様を前記副情報報知部（例えば、演出表示装置Ｓ４０）で報知可能に構成されている
ことを特徴とする回胴式遊技機である。